(57)【要約】【課題】 ＯＦＤＭ信号等のディジタル伝送に重要な反射波有無、ＢＥＲ値の状態等を他地点でも視認できるように転送伝送し高品質な状態の維持作業を容易化する。【解決手段】 受信側の処理部から、電界強度、反射波有無、ＢＥＲ値の状態に関係する信号を取り出し、該状態をＶＢＬ映像化機能を装備する転送伝送装置Ｔと、転送のため伝送された該情報を抽出し、映像有効エリアに重畳する機能も追加した転送伝送装置Ｒと伝送装置システム。【選択図】図１
2006211652.tif 000002
【特許請求の範囲】
【請求項１】
ディジタル化した映像信号を、少なくとも１段中継して送信段から受信段へ伝送するディジタル伝送システムの伝送状態報知方法において、
所定の中継段で、受信した映像信号から上記中継段における伝送状態情報を映像信号化して上記映像信号の所定の期間に重畳し、上記中継段における伝送状態情報が重畳された映像信号を上記受信側に送出し、
上記受信側で、受信した上記中継段における伝送状態情報が重畳された映像信号から、上記中継段における伝送状態情報を抽出して映像表示し、上記中継段における伝送状態情報を報知することを特徴とする伝送状態報知方法。
【請求項２】
請求項１記載の伝送状態報知方法において、
上記中継段における伝送状態情報を、振幅レベルの大小により表現した形式の信号としたことを特徴とする伝送状態報知方法。
【請求項３】
請求項１記載の伝送状態報知方法において、
上記中継段における伝送状態情報を、時間幅パルスの長短により表現した形式の信号としたことを特徴とする伝送状態報知方法。
【請求項４】
請求項３記載の伝送状態報知方法において、
上記受信段で、受信した上記中継段における伝送状態情報が重畳された映像信号から、上記時間幅パルスの位置を検出し、該検出された時間幅パルスの長短に基づいて上記中継段における伝送状態情報を検出することを特徴とする伝送状態報知方法。
【発明の詳細な説明】
【技術分野】
【０００１】
本発明は、直交周波数分割多重（ＯＦＤＭ：Orthogonal Frequency DivisionMultiplex)変調方式等のマルチキャリア変調方式を用いたディジタル伝送装置に関する。
【背景技術】
【０００２】
近年、ヨーロッパやアメリカおよび日本でディジタル放送が検討されており、その変調方式としてＯＦＤＭ変調方式の採用が有力視されている。このＯＦＤＭ変調方式とは、マルチキャリア変調方式の一種で、多数のディジタル変調波を加え合わせたものである。 このときの各キャリアの変調方式にはＱＰＳＫ(Quadrature Phase Shift Keying：４相位相偏移変調)方式等が用いられ、合成波であるＯＦＤＭ信号を得ることができる。ここで、このＯＦＤＭ信号を数式で表すと、以下のようになる。まず、各キャリアのＱＰＳＫ信号をαk(t)とすると、これは式(１)で表せる。
【０００３】
αk(t)＝ａk(t)×cos(2πkft)＋ｂk(t)×sin(2πkft) ・・・・・（１)
ここで、ｋはキャリアの番号を示し、ａk(t)、ｂk(t)は、ｋ番目のキャリアのデータで、［−１］または［１］の値をとる。次に、キャリアの本数をＮとすると、ＯＦＤＭ信号はＮ本のキャリアの合成であり、これをβk(t)とすると、これは次の式(２)で表すことができる。
【０００４】
βk(t)=Σαk(t) (但し、ｋ＝１〜Ｎ) ・・・・・・（２）
ところで、ＯＦＤＭ変調方式では、マルチパスの影響を低減するため、信号にガードインターバルを付加するのが一般的である。このＯＦＤＭ信号は、上記信号単位から構成され、この信号単位シンボルは、例えば有効サンプル１０２４サンプルにガードインターバルデータ４８サンプルを付加した１０７２サンプルのシンボル８９４組に、６組の同期シンボルを付加した、全９００シンボルからなるフレームと呼ぶストリーム単位の繰返しで構成される。
【０００５】
図２０は従来技術によるＯＦＤＭ伝送装置における変復調部の基本的な構成を示すブロック図であり、伝送路符号化部１Ｔ、符号化部２Ｔ、ＩＦＦＴ(InverseFast Fourier Transform：逆フーリエ変換)部３Ａ、ガード付加部３Ｂ、同期シンボル挿入部５、クロック発振器６、直交変調処理部８とからなる送信側処理部１０１と図示しない送信アンテナを有する送信側Ｔｘと、図示しない受信アンテナとＡＣＧ部９Ａ、直交復調処理部９Ｂ、同期検出＆相関部４Ａ、ＦＳＴ補正部４Ｂ、ＦＦＴ(Fast Fourier Transform：高速フーリエ変換)部３Ｃ、復号化部２Ｒ、伝送路復号化部１Ｒ、電圧制御クロック発振器１０からなる受信側処理部２０３を有する受信側Ｒｘとにより構成され、これら送信側Ｔｘと受信側Ｒｘは、例えば、電波を用いた無線の伝送路Ｌにより結ばれている。以下、図２０を用いてＯＦＤＭ信号の変復調処理について説明する。送信側処理部１０１の伝送路符号化部１Ｔに連続的に入力されるデータＤinは、例えば９００シンボルからなるフレーム毎に処理され、このフレーム期間内で同期シンボルの６シンボル期間を除く８９４個の情報シンボル毎に、１から４００番と、６２５から１０２４番までの計８００サンプル期間に、間欠状態のレート変換済データＤiiとして出力される。また、伝送路符号化部１Ｔは、フレーム周期である９００シンボル毎に、送信側のフレーム制御パルスＦＳＴを発生し、同期シンボル期間の開始を表わすフレームパルス信号として、他のブロックに供給する。符号化部２Ｔは、入力されたデータＤiiを符号化し、Ｉ軸とＱ軸の２軸にマッピングしたデータＲｆとＩｆを出力する。ＩＦＦＴ部３Ａは、これらデータＲｆとＩｆを周波数成分と見なし、１０２４サンプルからなる時間軸信号Ｒ(実数成分)とＩ(虚数成分)に変換する。
【０００６】
ガード付加部３Ｂは、１０２４サンプルからなる時間軸信号ＲとＩの開始期間における波形の中で、例えば最初の４８サンプルの波形を１０２４サンプル後に付加し、合計１０７２サンプルの時間軸波形からなる情報シンボルＲｇとＩｇを出力する。 この４８サンプルは反射波混入時の緩衝帯となる。同期シンボル挿入部５は、これら情報シンボルＲｇ，Ｉｇに対して、それらの８９４サンプル毎に、予めメモリ等に記憶された、６シンボルからなる同期波形を挿入し、フレーム構成のデータＲsgとＩsgを作成する。これらのデータＲsg，Ｉsgは直交変調処理部８に供給され、ここでＤ／Ａ変換器８１と直交変調器８２、ローカル発振器８３により、周波数ＦｃのキャリアによるＯＦＤＭ変調波信号ＲＦとして生成され、高周波増幅され、ここでは図示しないが、送信アンテナを介して伝送路Ｌに送出されることになる。 伝送帯域は、ＵＨＦ帯やマイクロ波帯が用いられる。なお、送信側Ｔｘにおける処理に必要なクロックＣＫ(周波数１６ＭＨｚ)は、クロック発振器６から各ブロックに送信側クロックＣＫｄとして供給される。
【０００７】
上記の様にして送信されたＯＦＤＭ変調波信号ＲＦは、図示しない受信アンテナを介し、受信側Ｒｘの高周波部であるＡＧＣ部９Ａを経由して直交復調処理部９Ｂに入力され、直交復調器９１により電圧制御発振器９３から供給される周波数Ｆc'の局発信号と乗算されて、ベースバンド信号に直交復調された後、Ａ／Ｄ変換器９２によってディジタル化され、データＲ'sgとＩ'sgに変換される。これらのデータＲ'sg，Ｉ'sgは、ＦＦＴ(Fast Fourier Transform：高速フーリエ変換)部３Ｃに供給され、ここでパルスＦＳＴrcに基づきＦＦＴとして利用する１０２４サンプルのデータ期間を決定するゲート信号を作成して、緩衝帯である４８サンプルを除外することにより、時間軸波形信号Ｒ'sg，Ｉ'sgは、周波数成分信号Ｒ'fとＩ'fに変換される。そして、これら周波数成分信号Ｒ'f，Ｉ'fは、復号化部２Ｒにて識別、復号化されて、データＤ'oになり、伝送路復号化部１Ｒにて連続した信号Ｄoutとして出力される。一方、上記データＲ'sgとＩ'sgは、同期検出＆相関部４Ａにも入力され、ここで同期シンボル群が検出され、これによりフレームパルスとなるパルスＦＳＴｒが取り出される。 このパルスＦＳＴｒは、受信側Ｒｘのフレーム制御パルスとなり、受信側Ｒｘの各ブロックに供給される。また、この同期検出＆相関部４Ａは、電圧制御クロック発振器１０から発生されるクロックＣＫrcとデータＲ'sgとＩ'sgの同期成分を比較し、比較結果に応じた相関出力ＳｃをＦＳＴ補正部４Ｂに出力する。 そして、ＦＳＴ補正部４Ｂで制御電圧ＶＣを生成し、これにより電圧制御クロック発振器１０を制御し、正しい周期のクロックＣＫrcが発生され、受信側の各ブロックに供給される。
【０００８】
次に、図２０に示した各ブロックの詳細について説明する。伝送路符号化部１Ｔは、伝送中に混入の恐れがある各種のエラーによるデータ誤りを防止するため、インターリーブ処理、エネルギー拡散処理、エラー訂正用符号処理等を行う。符号化部２Ｔは、信号Ｄiiを、マッピングＲＯＭを用いてＩ，Ｑ軸の所定点の情報に変換し、また、不要キャリアに相当する期間の信号は０に置換し、データＲｆとＩｆを作成する。ＩＦＦＴ変換部３Ａは、入力信号ＲｆとＩｆをクロックＣＫｄとパルスＦＳＴとでタイミングを決められた、シンボル周期の時間軸波形ＲとＩに変換する。具体的には、プレッシー社のＰＤＳＰ１６５１０等を用いれば実現できる。ガード付加部３Ｂは、ここに入力された信号ＲとＩを１０２４サンプル遅延させる遅延器と、１０２５サンプル目から１０７２サンプル目のみ遅延出力を選択する切り替え器からなり、これらはクロックＣＫとパルスＦＳＴによってタイミングを決められる。 ここで得られる全１０７２サンプルからなるシンボルは、１０２５サンプル目から１０７２サンプル目に、１サンプル目から４８サンプル間の時間軸波形が付加され、情報シンボルＲｇ，Ｉｇとなる。直交変調処理部８は、Ｄ／Ａ変換器８１により、実数部の信号Ｒsgと虚数部の信号Ｉsgに対してＤ／Ａ変換を行い、直交変調器８２では、実数部信号に対しては、発振器８３からの周波数ｆｃのキャリア信号のままで変調し、虚数部信号に対しては、発振器８３の周波数ｆｃのキャリア信号を９０°移相した信号で変調することによって直交変調を施し、これらの信号を合成してＯＦＤＭ変調波信号を得る。
【０００９】
次に、受信側Ｒｘの構成動作について説明する。受信側Ｒｘでは、伝送されたフレーム構成の信号は、ＡＧＣ部９Ａに入力され、ここで、受け取った信号レベルを適正レベルに修正する制御信号Ｓａを発生しレベルを変更する。ＡＧＣ部９Ａにて適正レベルとなったＯＦＤＭフレーム構成信号は、直交復調処理部９Ｂに入力される。ここでの処理は、送信側Ｔｘとは逆に、直交復調器９１によって、電圧制御発振器９３から出力される周波数Ｆc'のキャリア信号により復調した出力を実数部信号として取り出し、キャリア信号を９０°移相して復調した出力を虚数部信号として取り出すものである。 そして、これら実数部と虚数部の各復調アナログ信号を、Ａ／Ｄ変換器９２によりディジタル信号に変換する。同期検出＆相関部４Ａは、受信した信号Ｒ'sgとＩ'sgからフレームの区切りを探索しフレームの基準ＦＳＴrcを出力するとともに相関出力Ｓｃを出力する。そして、ＦＦＴ部３Ｃは、このパルスＦＳＴrcに基づいてシンボルを区切り、前述のようにフーリエ変換を行うことでＯＦＤＭ復調を行い、データＲ'fとＩ'fを出力する。復号化部２Ｒは、例えばＲＯＭテーブル手法にて、データＲ'fとＩ'fを識別し、データＤ'oを算出する。伝送路復号化部７は、逆インターリーブ処理、エネルギー逆拡散処理、エラー訂正処理等を行い、連続したディジタルデータDout、エラー訂正処理状況であるＢＥＲ(ビット・エラー・レート)状態を示す信号Ｓｂおよび受信側クロック信号ＣＫRXを出力する。
【００１０】
次に、図２１に同期検出＆相関部４Ａの具体的構成の一例を示し、説明する。直交復調したディジタル信号である時間軸信号Ｒ'sg，Ｉ'sgは、ＮＵＬＬ終了検出器４−１とＳＷＥＥＰ演算器４−２に入力される。ＮＵＬＬ終了検出器４−１は、フレーム構成のシンボル群から同期シンボル中で無信号状態にあるＮＵＬＬを検出し、同期シンボルの大まかな位置(タイミング)を検出し、ＮＵＬＬ終了時点からタイマ回路によりＳＷＥＥＰシンボル開始時点を推定して、ＳＷＥＥＰ開始指示パルスＳＴを出力する。ＳＷＥＥＰ演算器４−２は、ＳＷＥＥＰ開始指示パルスＳＴを参照しＮＵＬＬシンボルの２シンボル後に存在する波形を、ＳＷＥＥＰシンボル波形と推定して取り込み、各シンボルの正確な切り替わりタイミングを捜索する。具体的には、予めＳＷＥＥＰシンボルのパターンが格納してあるメモリ４−３を用い、入力されたＯＦＤＭ信号とこのメモリ４−３から読み出したパターンを例えば相関演算し、相関出力Ｓｃを、図２０のＦＳＴ補正部４Ｂに出力する。ＦＳＴ補正部４ＢはフレームパルスＦＳＴｒを基準に、各シンボルの正確な切り替わりタイミングとの位相ずれを算出し、受信側の基準クロックＣＫｒの補正信号ＶＣを出力し、受信側のフレーム位相を伝送データに一致させる。フレームカウンタ４−４は、ＳＷＥＥＰ開始指示パルスＳＴに基づいて、クロックＣＫのカウントを開始し、このカウント数がフレーム周期に相当する値(例えば、１０７２×９００)に到達する毎に、パルスＦＳＴｒを出力するとともに、カウント値を０に戻してから再びクロックＣＫのカウントを開始する。従って、以後は、一定カウント毎に、即ちフレーム開始点毎にパルスＦＳＴｒが出力されることになり、受信側ではこのパルスＦＳＴｒを高速フーリエ変換、復号化、逆レート変換の開始タイミングとする。
【００１１】
上記ＳＷＥＥＰ開始指示パルスＳＴによって、正しいＳＷＥＥＰシンボル開始位置を特定することができ、ＳＷＥＥＰ演算器４−２にＳＷＥＥＰシンボル波形の開始部分から取り込めるため、ＳＷＥＥＰ演算における位相ずれを正確に算出でき、各シンボルの正確な切り替わりタイミングを捜索することが可能となる。すなわち、ＳＷＥＥＰ演算器４−２から出力される相関出力Ｓｃ信号を基に、ＦＳＴ補正部４Ｂでずれ検出を行い、受信側サンプルレートとなるクロックＣＫｒｃの速度を調整し、伝送されてきた同期シンボル位相とのロック処理を行うことによって、ＦＦＴゲートの時間的位置の誤差は消える。このような場合の相関出力信号Ｓｃの一例を図２２に示す。図から明らかなように、この場合の相関出力信号Ｓｃは、主波による山と反射波による山が存在する形となる。
【特許文献１】特許３７１４６６１号公報
【発明の開示】
【発明が解決しようとする課題】
【００１２】
ところで、以上説明したようなディジタル伝送装置を、マラソン中継等の移動しながらの電波伝送に用いる場合、受信側のアンテナを移動中の中継車等の送信アンテナに正確に向け、強い電波を受ける方向調整作業が必要となる。 以後、この方向調整作業を、短縮して、方調と呼ぶ。 また、このようなマラソン中継等を、移動体中継、移動体伝送と言う。この方調作業を容易化するため、図２０に示す様な従来の装置には、電界の強さをＡＧＣ部９Ａの制御信号Ｓａと見立て、電界の強さ(Ｓａ値)に応じて周波数が変化する低周波の信号を出力する手段(例えば、図示しない電界強度を音の高・低で表す手段)や電界強度レベルメータが装備されていた。旧来のアナログ伝送の場合、ほとんどのケースで、伝送品質は電界が強い程に良好となる。 しかし、ディジタル伝送の場合は、電界が強くて反射波の混入が多い状態より、多少電界が弱くても反射波が無く、主波のみ存在する状態の方が、良好な伝送状態を得られることが圧倒的に多い。また従来のアナログ伝送方式では、反射波の影響を大きく受けるため、見通しのきく状態でのみ使用されていたが、近年開発されたディジタル伝送方式、特にＯＦＤＭ変調方式は、反射波の影響が少ないため、見通し外での伝送に積極的に利用されていることは、前述した通りである。しかし、見通し外からの伝送となると、受信側のアンテナ方向調整者は、送信側を目視できなくなる。      
【００１３】
そのため、アンテナ方向調整者が、目視できない送信側に対して正確に方調するには、電界強度やＢＥＲ(ビット・エラー・レート)状態をそれぞれ検出し、専用のレベルメータ等に表示し、これらと再生画像を見比べながら方調を行うこととなる。
【００１４】
ここで、ディジタル伝送方式において、受信信号を画像化するためには、前述の受信側処理部２０３のＯＦＤＭ復調で得たディジタルデータDoutを、図示しないＭＰＥＧデコーダを用いて画像に復元する必要がある。 このように、ディジタル伝送方式では、アナログ伝送方式のように、アンテナ方向調整者のいる受信アンテナ側で、受信信号を画像化することが容易ではないため、前述の電界強度やＢＥＲ状態を示す専用のレベルメータ等に頼って、方調を行うことが多い。しかしながら、前述のように、ディジタル伝送の場合、電界は強いが反射波の混入が多い状態より、多少電界が弱くても反射波が無く、主波のみ存在する状態の方が、良好な伝送状態を得られることが圧倒的に多いため、反射波の混入状況(ゴースト状況)を把握せず、電界強度やＢＥＲ状態と再生画像を個々に見て方調を行っても、必ずしも品質の高い伝送が実現できないことになる。
【００１５】
また、一般的な移動体中継では、受信中継点は小高い丘などに設けられ、前述のＯＦＤＭ伝送装置を用いて映像を伝送する。 そしてこの小高い丘などに設けられた中継段で得た映像は、スタジオのある放送局等へアナログ伝送方式のマイクロ回線で伝送される。通常、このような伝送システムにおける責任者(ディレクタ)は、最終受信段であるスタジオ側におり、伝送中継全体の取り纏めを行い、各所に指示を与える。例えば、伝送されてくる複数の移動体伝送映像の中から、放送(ＯＮ−ＡＩＲ)する映像を選択、決定する等の指示を行う。この場合、ディジタル伝送方式の移動体中継伝送における伝送状態は、前述の様に時々刻々変化するものであるが、電界強度やＢＥＲ状態および反射波の混入状況(ゴースト状況)を把握せずに、伝送されてくる映像だけを見ていても、伝送状態の良し悪しの判断はできない。 なぜなら、ディジタル伝送方式では、伝送されてくる映像は、伝送状態が悪化しても復調できるぎりぎりの状態まで、良好な映像として再生され、復調できなくなった時点で、突然、フリーズ等の異常が発生するからである。従って、スタジオ側のディレクタは、伝送されてくる複数の移動体伝送映像の中から、ＯＮ−ＡＩＲ映像を選択、決定する場合、各移動体の伝送状態、即ち、電界強度やＢＥＲ状態及び反射波の混入状況(ゴースト状況)が分からないため、適切なＯＮ−ＡＩＲ映像の選択ができない。 そのため、選択したＯＮ−ＡＩＲ映像が、突然、伝送状態の悪化によりフリーズしてしまうことがあり、放送事故を引き起こしてしまうことになる。本発明はこれらの欠点を除去し、この様な移動体中継伝送における伝送状態を表す電界強度、ＢＥＲ状態、反射波の混入状況(ゴースト状況)等の情報を、ＯＦＤＭ伝送装置から遠く離れた地点であるスタジオ等に伝送し、映像表示することにより、ディレクタ等が伝送状態を的確に把握できるようにすることを目的とする。
【課題を解決するための手段】
【００１６】
本発明は、上記の目的を達成するため、ディジタル化した映像信号を少なくとも１段中継して伝送するディジタル伝送システムにおいて、所定の中継段に、受信した映像信号から、反射波混入状態、受信電界状態、復号エラー状態の少なくとも何れか１つの伝送状態情報を取り込み、映像信号化して上記映像信号の所定の期間に重畳し、当該重畳映像信号を送出する伝送状態映像重畳手段を設け、所定の受信段に、受信した上記重畳映像信号から、重畳された上記伝送状態情報を抽出し、当該抽出した伝送状態情報を映像表示する手段を設けたディジタル伝送システムである。また、取り込んだ上記伝送状態情報を、映像信号化して上記映像信号の有効期間外に重畳するようにしたものである。また、取り込んだ上記伝送状態情報を、映像信号化して上記映像信号の有効期間内に重畳するようにしたものである。さらに、上記受信電界状態と復号エラー状態の少なくとも何れか１つの伝送状態情報を、振幅レベルの大小により表現した形式の信号としたものである。また、上記受信電界状態と復号エラー状態の少なくとも何れか１つの伝送状態情報を、時間幅パルスの長短により表現した形式の信号としたものである。また、上記受信電界状態と復号エラー状態の何れか１つの伝送状態情報を、振幅レベルの大小により表現した形式の信号とし、もう１つの伝送状態情報を時間幅パルスの長短により表現した形式の信号としたものである。さらに、上記受信電界状態と復号エラー状態の少なくとも何れか１つの伝送状態情報を、時間幅パルスの長短により表現した形式の信号とし、受信した上記重畳映像信号から上記時間幅パルスの時間的位置を検出し、上記伝送状態を検出する手段を付加装備したものである。その結果、この様な移動体中継伝送における伝送状態を表す電界強度、ＢＥＲ状態、反射波の混入状況(ゴースト状況)等の情報を、ＯＦＤＭ伝送装置から遠く離れた地点である最終受信段のスタジオ等に伝送し、映像表示することにより、ディレクタ等が伝送状態を的確に把握できるようになる。
【発明の効果】
【００１７】
以上説明した如く、本発明によれば、電界強度状態、ＢＥＲ状態、反射波の有無およびレベル状態等の伝送状態を、ＯＦＤＭ伝送装置から遠く離れたスタジオ等の他地点に容易に伝送し、伝送先で抽出表示できるため、移動体伝送の伝送状態を他地点でも、容易、かつ的確に観測可能となる。
【発明を実施するための最良の形態】
【００１８】
以下、図１に、本発明の一実施例の全体ブロック構成を示し、図２に、各部の出力映像信号とその映像表示画面の模式図を示し、詳細に説明する。移動中継車等の送信側は、ＭＰＥＧ−ＥＮＣ部１０１Ｍと送信側処理部１０１からなる。 例えば、小高い丘の上等に設けられる第１中継段である受信側には、受信側処理部２０３とＭＰＥＧ−ＤＥＣ部２０３Ｍ、伝送状態映像重畳部７Ｔが設けられる。受信側処理部２０３から得られる、受信電界強度を表すＡＧＣ制御信号Ｓａと反射波の混入(ゴースト)状態を表す相関演算信号Ｓｃ及びＢＥＲ状態を示す信号Ｓｂは、伝送状態映像重畳部７Ｔに接続される。 また、受信側処理部２０３の動作タイミング基準であるＦＳＴrcパルスも伝送状態映像重畳部７Ｔに接続される。ＭＰＥＧ−ＥＮＣ部２０３Ｍの映像出力Ｖ(図２の(ａ))は、映像信号として伝送状態映像重畳部７Ｔに入力される。ここで、映像出力Ｖは、ＭＰＥＧ−ＥＮＣ部２０３Ｍの出力に限定されるものではなく、他の映像機器からの外部入力映像信号でも良い。受信側で受けた映像信号と音声信号は、直接あるいは所定数の中継段を介してスタジオ等のある最終受信段に送られる。 なお、この間は、例えば、マイクロ波帯のアナログＦＰＵ等で、伝送される。
【００１９】
伝送先のスタジオ側には、重畳情報抽出＆伝送状態映像変換部７Ｒが、設けられている。伝送状態映像重畳部７Ｔは、受信側処理部２０３からの信号Ｓa,Ｓb,ＦＳＴrcを基準に反射波の混入状況(ゴースト状況)を表す相関演算信号Ｓｃを取り込み、これら伝送状態を表す情報をＭＰＥＧ−ＥＮＣ部２０３Ｍからの映像信号（図２の(ａ)）の映像有効期間外である垂直ブランキング(ＶＢＬ)期間に重畳する。そして、伝送状態情報の重畳された映像信号Ｖｓ(図２の(ｂ)）を、所定の映像送信部を用いて、スタジオ側に伝送する。スタジオ側では、所定の映像受信部を用いて受信した映像信号Ｖs'から、重畳情報抽出＆映像変換部７Ｒで、ＶＢＬ期間に重畳された伝送状態を表す情報Ｓa'，Ｓb'，Ｓc'を抽出する。 そして、これら抽出された伝送状態を表す情報Ｓa'，Ｓb'，Ｓc'を、同期信号C.SYNCを基準に取り込み、これら情報を同期信号C.SYNCを基準に、後述の映像有効期間内に表示される伝送状態映像化信号として出力する。この伝送状態映像化信号は、図２の(ｃ)に示すように、映像表示画面に表示される。
【００２０】
図３に、伝送状態映像重畳部７Ｔの一実施例のブロック構成を示し、以下に、説明する。制御信号Ｓａは、電界強度−映像変換部７−１に入力され、該電界強度−映像変換部７−１の出力は、映像統合部７−４に入力される。信号Ｓｂは、ＢＥＲ状態−映像変換部７−２に入力され、ＢＥＲ状態−映像変換部７−２の出力は、映像統合部７−４に入力される。信号ＳｃおよびＦＳＴrcは、ゴースト状態−映像変換部７−３に入力される。ゴースト状態−映像変換部７−３の出力は、映像統合部７−４に入力される。映像統合部７−４からの同期信号C.SYNCは、電界強度−映像変換部７−１、ＢＥＲ状態−映像変換部７−２、ゴースト状態−映像変換部７−３の同期入力端子に接続される。また、映像統合部７−４からは、後述する伝送状態重畳映像信号が出力される。電界強度−映像変換部７−１、ＢＥＲ状態−映像変換部７−２、ゴースト状態−映像変換部７−３は、同期信号C.SYNC入力に従って、各々の状態を示す信号をそれぞれ映像信号に変換する。 映像統合部７−４では、映像化されたこれらの信号を統合し、映像用の同期信号を付加した伝送状態重畳映像信号を生成する。
【００２１】
図４に、映像統合部７−４の一実施例のブロック構成を示し、以下に、詳細に説明する。映像信号は、外部映像同期型同期信号発生器７-4-5と加算器７-4-6に入力される。 外部映像同期型同期信号発生器７-4-5からの同期信号C.SYNCは、外部へ出力される。加算器７-4-6は、ゲート７-4-１,７-4-2,７-4-3を経由した各映像化信号と、ゴースト状態映像化信号に対する時間軸の目盛及びガード期間の範囲を示す信号と、映像信号を加算し伝送状態重畳映像信号Ｖｓを作成する。 なお、重畳位置パルス発生器７-4-4は、各映像化信号が、映像信号に重畳される位置を規定する。ここで、加算器７-4-6における加算比率の例を以下に示す。 入力される信号を、ディジタルレベルの＋５Ｖの電界強度映像化信号、ＢＥＲ状態映像化信号、ゴースト状態映像化信号は、各々０．２の比率で、時間軸目盛信号とガード期間範囲信号は、０．０５の比率で、映像部分が０．７Ｖ程度のアナログ信号である映像信号は、比率１で加算する。図５に、この伝送状態重畳映像信号Ｖｓの一例の模式波形を示す。 これは、ゴースト状態映像化信号Ｐsc、電界強度映像化信号Ｓa0〜Ｓa5、ＢＥＲ状態映像化信号Ｓb0〜Ｓb5が重畳されたＶＢＬ期間の１ラインを示している。ゴースト状態映像化信号はアナログレベルで重畳されるため、 ゴースト状態波形は、振幅の連続的な大小で表現される。 電界強度レベルとＢＥＲ状態は、各々をバイナリー表現したディジタル値を、振幅の有無をディジタルの０or１と見立て重畳する。 すなわち、ディジタル化した情報の値０，１を、振幅の有り無しで表現する。
【００２２】
図６の(ａ)に、電界強度−映像変換部７−１の一実施例のブロック構成を示し、以下に、説明する。電界強度を表す制御信号Ｓａは、Ａ／Ｄ変換器７-1-1に入力されて、例えば、６ビットのディジタル信号ＤSaに変換される。 この電界強度を表す信号ＤSaは、デコーダ(ＤＥＣ)７-1-2で、例えば、信号ＤSa0〜ＤSa5の全６の信号に変換される。 信号ＤSa0〜ＤSa5の各出力は、６個のアンドゲート(ＡＮＤ)７-1-4に入力される。 ＡＮＤ７-1-4の計６個の出力は、オアゲート(ＯＲ)７-1-5に入力される。 同期信号C.SYNCは、重畳位置パルス発生器７-1-3に入力され、ここで、同期信号C.SYNCのタイミングに応じて、対応する重畳位置のパルスａ0〜ａ5が出力される。 パルスａ0〜ａ5は、ＡＮＤ７-1-4のもう一方の端子に入力され、信号ＤSa0〜ＤSa5と論理積を取られる。ここで、電界強度を表す信号ＤSaが００ｈ、即ち１０進で０なら、信号Ｄa0のみレベルＨであるから、パルスａ０のみ論理積がＨとなって、パルスａ０に対応する位置の信号ＤSa0のみ出力される。 また、信号ＤSaが０３ｈ、即ち１０進で３なら、ＤSa0〜ＤSa3まで論理積がＨとなり、パルスａ０〜ａ３に対応する位置の信号ＤSa0〜ＤSa3が出力される。 そして、ＯＲ７-1-5で論理和が取られ、電界強度映像化信号Ｓa0〜Ｓa5が出力される。ここで、例えば、パルスａ０は、１２Ｈ目の走査線で、サンプル数が５１２サンプル〜５２０サンプルの位置に対応し、パルスａ１は、１２Ｈ目の走査線で、サンプル数が５２１〜５２９サンプルの位置に対応し、パルスａ５は、１２Ｈ目の走査線で、サンプル数が５４０〜５４８サンプルの位置に対応するものとすれば、この時の電界強度映像化信号Ｓa0〜Ｓa5は、図６の(ｂ)に示すように、映像有効エリア外であるＶＢＬ期間に重畳されることになる。
【００２３】
次に、図７の(ａ)にＢＥＲ状態−映像変換部７−２の一実施例のブロック構成を示し、以下、一例を用いて説明する。ＢＥＲ状態を表す信号Ｓｂは、Ａ／Ｄ変換器７-2-1に入力され、約３ビットのディジタル信号ＤSbに変換される。 該ＢＥＲ状態を示す信号ＤSbは、デコーダ(ＤＥＣ)７-2-2にて、例えば、信号Ｄb0〜Ｄb4の全５つの信号に変換される。Ｄb0〜Ｄb4の各出力は、５個のアンドゲート(ＡＮＤ)７-2-4に入力される。そしてＡＮＤ７-2-4の計５個の出力は、オアゲート(ＯＲ)７-2-5に入力される。同期信号C.SYNCは、重畳位置パルス発生器７-2-3に入力され、同期信号C.SYNCのタイミングに応じて、ＢＥＲ状態を示す信号を重畳するためのパルスｂ0〜ｂ4が出力される。パルスｂ０〜ｂ４は、ＡＮＤ７-2-4のもう一方の端子に入力され、信号ＤSb0〜ＤSb4と論理積を取られる。 ここで、ＢＥＲ状態を表す信号ＤSbが００ｈ、即ち１０進で０なら、信号ＤSb0のみレベルＨであるから、パルスｂ０のみ論理積がＨとなって、パルスｂ０に対応する位置の信号ＤSb0が出力される。 また、信号ＤSbが０３ｈ、即ち１０進で３なら、ＤSb0〜ＤSb3まで論理積がＨとなり、パルスｂ０〜ｂ３に対応する位置の信号ＤSb0〜ＤSb3が出力される。重畳位置パルス発生器７-2-3は、例えば、ＮＴＳＣ用であれば、１４.3ＭＨｚクロックにてカウント動作し、Ｈ周期にてリセットされる９１０分周カウンタと、１／２Ｈクロックにてカウント動作し、Ｖ周期にてリセットされる５２５分周カウンタとの論理処理を行う。これにより、図７ (ｂ)に示すように、例えば、ｂ４信号は、走査線が１２Ｈ目で、サンプル数が５６０サンプル〜５６７サンプルの位置に対応し、ｂ３信号は、走査線が１２Ｈ目で、サンプル数が５６８サンプル〜５７５サンプルの位置に対応して出力される。 ｂ２信号は、走査線が１２Ｈ目で、サンプル数が５７６サンプル〜５８３サンプルの位置に対応し、ｂ１信号は、走査線が１２Ｈ目で、サンプル数が５８４サンプル〜５９１サンプルの位置に対応し、ｂ０信号は、走査線が１２Ｈ目で、サンプル数が５９２サンプル〜５９９サンプルの位置に対応して出力される。 したがって、この時のＢＥＲ状態映像化信号Ｓb0〜Ｓb4は、図７の(ｂ)に示すように、映像有効エリア外であるＶＢＬ期間に重畳されることになる。
【００２４】
次に、ゴースト状態−映像変換部７−３の一実施例のブロック構成を、図８に示し、以下に一例を用いて説明する。前述したゴースト状態を表す相関出力信号Ｓｃは、Ａ／Ｄ変換器７-3-1に入力され、８ビットのディジタルの相関出力信号ＤScに変換される。 そして、この信号ＤScはＦＩＦＯ７-3-2に入力される。 また、前述のフレーム周期のパルスＦＳＴrcは、ＦＩＦＯ７-3-2の書き込みリセット端子に入力される。 ＦＩＦＯ７-3-2のディジタル相関出力信号Ｄ'Scは、Ｄ／Ａ変換器７-3-4に入力される。Ｄ／Ａ変換器７-3-4の出力は、ゴースト状態映像化信号Ｐscとして出力される。また、前述の同期信号C.SYNCは、タイミングパルス発生器７-3-3に入力される。そして、該発生器７-3-3は、同期信号C.SYNCに応じ、ＦＩＦＯ７-3-2に読出しリセット信号RRSTと読出しイネーブル信号ＲＥを出力する。図９に、信号C.SYNC、RRST、ＲＥの各信号とゴースト状態映像化信号Ｐscとの関係を示し、以下にこの動作について説明する。タイミングパルス発生器７-3-3は、例えば、映像周期での１２Ｈ目で、１２８サンプル目に、リセット信号RRSTを出力し、ＦＩＦＯ７-3-2に、最初の書き込み内容から読み出し準備を行わせる。 また、１２Ｈ目、１３０〜４００サンプル目にレベルＬとなるＲＥ信号を出力し、これに応じて、ＦＩＦＯ７-3-2に書き込まれた内容(Ｄ'Sc)が、順番に読み出される。そして、読み出された信号Ｄ'Scは、Ｄ／Ａ変換器７-3-4によりアナログ状態のゴースト状態映像化信号Ｐscとなり、映像期間のＶＢＬ期間に出力される。
【００２５】
次に、重畳情報抽出＆映像変換部７Ｒの一実施例のブロック構成を、図１０の(ａ)に示し、以下に一例を用いて説明する。上記伝送状態を表す情報ｓa0'〜ｓa5',ｓb0'〜ｓb4',Ｐsc'がＶＢＬ期間に重畳された映像信号Ｖs'が入力する重畳情報抽出＆映像変換部７Ｒは、重畳電界強度抽出＆映像変換部７−1V、重畳ＢＥＲ状態抽出＆映像変換部７−2V、重畳ゴースト状態抽出＆映像変換部７−3V、映像統合部７−4Vにより構成される。映像統合部７−4Vからの同期信号C.SYNCは、映像信号Ｖs'から取り出され、重畳電界強度抽出＆映像変換部７−1V、重畳ＢＥＲ状態抽出＆映像変換部７−2V、重畳ゴースト状態抽出＆映像変換部７−3Vに入力される。重畳電界強度抽出＆映像変換部７−1Vの出力VOsa、重畳ＢＥＲ状態抽出＆映像変換部７−2Vの出力VOsb、重畳ゴースト状態抽出＆映像変換部７−3Vの出力VOscは、映像統合部７−4Vに入力される。重畳電界強度抽出＆映像変換部７-1V、重畳ＢＥＲ状態抽出＆映像変換部７-2V、重畳ゴースト状態抽出＆映像変換部７−3Vは、同期信号C.SYNCを基準として、入力される映像信号Ｖs'のＶＢＬ期間に重畳された伝送状態を表す各情報ｓa0'〜ｓa5',ｓb0'〜ｓb4',Ｐsc'の存在する期間をそれぞれ求め、これらの各情報を抽出する。 そして、後述のようにして、映像有効期間内の所定の位置に表示されるように、それぞれの映像化信号に変換される。そして、映像統合部７−4Vで、これらの各映像化信号を統合し、伝送状態映像化信号を生成する。図１０の(ｂ)は、この伝送状態映像化信号(Vosa，Vosb，Vosc)を、図示しない映像モニタに供給し、その映像表示画面の映像有効期間に表示した場合の模式図である。 この様に、映像表示画面の映像有効期間に、各種伝送状態映像化信号(電界強度−Vosa、ＢＥＲ状態−Vosb、ゴースト状態−Vosc)が表示されるので、ＯＦＤＭ伝送装置から遠く離れた地点であるスタジオ側にいるディレクタ等が、伝送状態を的確に把握できるようになる。
【００２６】
図１１の(ａ)に、重畳電界強度抽出＆映像変換部７−1Vの一実施例のブロック構成を示し、以下に説明する。前述のように、映像信号Ｖs'の１２Ｈ目に重畳されたアナログ状態の電界強度情報ｓa0'〜ｓa5'は、コンパレータ７−1V-1に入力され、ディジタル信号ＤSa0'〜ＤSa5'に変換される。 この信号ＤSa0'〜ＤSa5'は、時系列的に並んだ信号である。該信号ＤSa0'〜ＤSa5'は、シリアル・パラレル変換(Ｓ／Ｐ)＆ラッチ７−1V-1aに入力され、例えば６ビットのパラレルデータＤSa[５：０]Ｐ'に変換される。Ｓ／Ｐ＆ラッチ７−1V-1aの出力ＤSa[５：０]Ｐ'は、並列化＆サンプルホールドされたものであり、デコーダ７−1V-2に入力される。 そして、デコーダ７−1V-2で、６ビットのＤSa[５：０]Ｐ'は、例えば６４個からなるデータDSa63'〜DSa0'に変換される。デコーダ７−1V-2の出力DSa63'〜DSa0'は、６４個のＡＮＤゲート７−1V-4に入力される。 ＡＮＤゲート７−1V-4の計６４個の出力は、ＯＲゲート７−1V-5に入力される。 同期信号C.SYNCは、重畳電界強度抽出＆表示位置パルス発生器７−1V-3に入力される。 重畳電界強度抽出＆表示位置パルス発生器７−1V-3は、C.SYNC信号のタイミングに応じ、抽出パルスＰsaと、表示位置パルスａ63'〜ａ０'パルスを出力する。抽出パルスＰsaは、映像有効期間外の例えば１２Ｈ目、サンプル数５１２サンプル〜５４８サンプルの間に、計６パルス出力される。 また、表示位置パルスａ０'〜ａ63'パルスは、映像有効期間内の例えば走査線２００〜２０３Ｈ、サンプル数３８４サンプル〜６４０サンプルの場合にレベルＨとなるパルスである。即ち、ａ0'信号は、走査線２００Ｈ〜２０３Ｈで、サンプル数３８４サンプル〜３８７サンプルの位置に表示される。 ａ62'信号は、走査線２００Ｈ〜２０３Ｈで、サンプル数６３２サンプル〜６３５サンプルの位置に表示される。ａ63'信号は、走査線２００Ｈ〜２０３Ｈで、サンプル数６３７サンプル〜６４０サンプルの位置に表示される。このパルスａ0'〜ａ63'は、ＡＮＤゲート７−1V-4のもう一方の端子に入力され、ＡＮＤゲート７−1V-4で、DSa63'〜DSa0'の各出力と論理積が取られる。ここで、図１１の(ｂ)に、上記抽出パルスＰsaと表示位置パルスａ0'〜ａ63'の映像表示画面上における位置関係を模式的に示す。
【００２７】
図１２の(ａ)に、重畳ＢＥＲ状態抽出＆映像変換部７−２Ｖの一実施例のブロック構成を示し、以下に説明する。前述の様に、映像信号Ｖs'の１２Ｈ目に重畳されたアナログ状態のＢＥＲ状態情報Sb0'〜Sb4'は、コンパレータ７−2V-1に入力され、ディジタル信号DSb0'〜DSb4'に変換される。 この信号DSb0'〜DSb4'は、全５の信号が時間的に連続して並んだものである。 該信号DSb0'〜DSb4'は、シリアル・パラレル変換(Ｓ／Ｐ)＆ラッチ７−2V-2に入力され、例えば全５のパラレルデータDSb0'〜DSb4'に変換される。そして、この信号DSb0'〜DSb4'の各出力は、５個のＡＮＤゲート７−2V-4に入力される。 ＡＮＤゲート７−2V-4の計５個の出力は、ＯＲゲート７−2V-5に入力される。同期信号C.SYNCは、重畳ＢＥＲ状態抽出＆表示位置パルス発生器７−2V-3に入力される。 該発生器７−2V-3は、C.SYNC信号のタイミングに応じて、表示位置パルスであるｂ0'からｂ4'パルスを映像有効期間に出力する。 また、抽出パルスＰSb'を映像有効期間外の１２Ｈ目に出力する。ここで、図１２の(ｂ)に、上記抽出パルスＰSbと表示位置パルスｂ0'〜b4'の映像表示画面上における位置関係を模式的に示す。重畳ＢＥＲ状態抽出＆表示位置パルス発生器７−2V-3は、ＮＴＳＣ用であれば、１４．３ＭＨｚクロックにてカウント動作し、かつＨ周期にてリセットされる９１０分周カウンタと、１／２Ｈクロックにてカウント動作しかつ、 Ｖ周期にてリセットされる５２５分周カウンタとの論理処理を行う。その結果、例えば、ｂ4'信号は、走査線８０Ｈ〜９６Ｈで、サンプル数５１２サンプル〜５２６サンプルの位置に表示される。 ｂ3'信号は、走査線８０Ｈ〜９６Ｈで、サンプル数５２８サンプル〜５４２サンプルの位置に表示される。ｂ2'信号は、走査線８０Ｈ〜９６Ｈで、サンプル数５４４サンプル〜５５８サンプルの位置に表示される。 ｂ1'信号は、走査線８０Ｈ〜９６Ｈで、サンプル数５６０サンプル〜５７４サンプルの位置に表示される。 ｂ0'信号は、走査線８０Ｈ〜９６Ｈで、サンプル数５７６サンプル〜５９０サンプルの位置に表示される。
【００２８】
図１３の（ａ）に、重畳ゴースト状態抽出＆映像変換部７−３Ｖの一実施例のブロック構成を示し、以下に説明する。前述の様に、映像信号Ｖs'の１２Ｈ目に重畳されたゴースト状態情報ＰSc'は、Ａ／Ｄ変換器７−3V-1に入力される。 Ａ／Ｄ変換器７−3V-1の出力Ｄ'Scは、ＦＩＦＯ７−3V-2の書き込みデータ端子に接続される。 ＦＩＦＯ７−3V-2の出力Ｄ'Schは、比較器７−3V-4に入力される。 比較器７−3V-4の出力ＬＥは、ゲート７−3V-5に入力される。同期信号C.SYNCは、ＣＫ再生器７−3V-6、ＨＤ抽出器７−3V-7、ＶＤ抽出器７−3V-8にそれぞれ接続される。 ＣＫ再生器７−3V-6の出力ＣＫは、カウンタ７−3V-9に接続される。 カウンタ７−3V-9からの出力ＷＥは、ＦＩＦＯ７−3V-2のＷＥ端子に接続される。 ＨＤ抽出器７−3V-7の出力ＨＤは、カウンタ７−3V-10に接続される。      
【００２９】
カウンタ７−3V-10の出力Ｃ−Ｓは、デコーダ７−3V-3に接続される。 ＶＤ抽出器７−3V-8の出力ＶＤは、Ｈカウンタ７−3V-11に接続される。 Ｈカウンタ７−3V-11の出力Ｃ−Ｈは、デコーダ７−3V-3及びデコーダ７−3V-12に接続される。 デコーダ７−3V-3の出力ＲＲＳＴは、ＦＩＦＯ７−3V-2のＲＲ端子に接続される。 同様にデコーダ７−3V-3の出力ＲＥは、ＦＩＦＯ７−3V-2のＲＥ端子に接続される。ゴースト状態情報ＰSc'を抽出する制御信号ＷＲＳＴは、デコーダ７−3V-3からＦＩＦＯ７−3V-2の書き込みリセット端子ＷＲに、ＷＥはＦＩＦＯ７−3V-2の書き込み制御端子ＷＥに接続される。 デコーダ７−3V-12の出力Ｄhhは比較器７−3V-4に接続される。ＣＫ再生器７−3V-6は、入力の同期信号C.SYNCを基に、例えば１４．３ＭＨｚのＣＫを再生する。 ＨＤ抽出器７−3V-7は、同期信号C.SYNCからＨ周期成分を抽出し、Ｈ周期のＨＤ信号を出力する。 カウンタ７−3V-10は、ＨＤ信号にてリセットされ、ＣＫ周期毎に値が増加するカウンタ信号Ｃ−Ｓを出力する。
【００３０】
ＶＤ抽出器７−3V-8は、同期信号C.SYNCから、Ｖ周期成分を抽出し、Ｖ周期のＶＤ信号を出力する。 Ｈカウンタ７−3V-11は、ＶＤ信号にてリセットされ、１Ｈ周期毎に値が増加するカウンタ信号Ｃ−Ｈを出力する。デコーダ７−3V-3は、入力されるカウンタ信号Ｃ−Ｓとカウンタ信号Ｃ−Ｈとから、走査線ｍ本目からｍ＋ｎ本目の期間に、１Ｈ期間で１ＣＫ期間、レベルＬとなる読み出しリセット信号ＲＲＳＴを出力し、ＦＩＦＯ７−3V-2の読み出しアドレスを０番目に初期化する。 また同じく走査線ｍ本目からｍ＋ｎ本目の期間にレベルＨとなる読み出しイネーブル信号ＲＥとで、 ＦＩＦＯ７−3V-2の読み出しアドレスを進めることにより、ＦＩＦＯ７−3V-2に書き込まれた相関演算信号ＳｃであるＤ'schが読み出される。デコーダ７−3V-12は、入力されるカウンタ信号Ｃ−Ｈから走査線ｍ本目にレベルｌａを出力し、以後１Ｈ毎にレベルをｉずつ低下させ、ｍ＋ｎ本目にｌｂとなるＤhhを発生する。 比較器７−3V-4は、相関演算信号ＳｃであるＤ'schとＤhhを比較し、Ｄ'sch＞Ｄhhの期間、出力ＬＥhをレベルＨとする。
【００３１】
以上説明した各信号の様子を、図１４に示し、さらに説明する。ＷＲＳＴ信号は、例えば、１２Ｈ目に情報重畳された映像信号Ｖｓ'の１２Ｈ目の１００サンプル目に出力され、ＦＩＦＯ７−3V-2を初期化する。 ＷＥ信号は、例えば、１２Ｈ目に情報重畳された映像信号Ｖｓ'の１２Ｈ目の１２８サンプル目から２５６サンプル目までの期間にＬを出力し、ＦＩＦＯ７−3V-2にＤ'Scを書き込む。そして、Ｈ周期毎に、ｍ〜ｍ＋ｎ本目までＲＥ信号を出力し、書き込み内容を１データずつ順番に読み出す。 映像のＨ周期に応じて読み出された信号Ｄ'Scは、Ｈ周期の値Ｄhhと比較され、Ｄ'Sc＜Ｄhhの期間にレベルＨとなるＬＥ信号が生じる。なお、ブランキング期間のＬＥ信号発生を防止するため、ブランキング期間にレベルＬとなるＧＩ信号を用いてブランキング期間は強制的にレベルＬとする。Ｓｃ信号のレベルが高ければ、Ｈレベルの期間が長いゴースト状態映像化信号が作成される。以上のようにして、移動体伝送における伝送状態を表す電界強度、ＢＥＲ状態、反射波の混入状況(ゴースト状況)等の情報を、ＯＦＤＭ伝送装置から遠く離れた地点であるスタジオ等に伝送することができる。 そして、スタジオ側では、受信した映像信号から、重畳された伝送状態を表す各情報を抽出して、これら抽出された伝送状態を表す各情報を、映像有効期間内に伝送状態映像化信号として映像表示することにより、ディレクタ等が伝送状態を的確に把握することができるようになる。
【００３２】
以上説明した伝送状態を表す情報の伝送、表示方式では、受信側において専用の受信装置を用いないと、伝送状態を把握することが出来ない。そこで、次に説明する実施例では、専用の受信装置を用いること無く、伝送状態を把握できるようにするため、伝送状態を表す各情報を、振幅レベルの大小、もしくは時間パルス幅の長短の形式で表現した信号として、映像信号の一部分に付加、重畳して伝送するようにしたものである。ここで、前述の電界強度情報Ｓａをレベルの大小で示した信号Ａsaと、ＢＥＲ状態情報Ｓｂを同じくレベルの大小で示した信号Ａsbとを付加した伝送状態重畳＆連続信号付加映像信号の一例を、図１６に模式的に示す。つまり、移動体中継等の現場に必ず装備、持ち込まれる装置として、映像波形モニタがある。 この波形モニタを使い、伝送される上記の重畳＆付加映像信号波形の存在するラインのみを、ライン選択機能を用いて観測すれば、専用の受信装置(上記実施例の重畳情報抽出＆映像変換部７Ｒ)を用いることなく、伝送状態を目視でき、観測できる。
【００３３】
以下、本発明の伝送状態付加部７Ｔsubと、図１、図３に示す伝送状態映像重畳部７Ｔとを組み合わせた構成を図１５に示し、説明する。上記伝送状態を表す各情報を伝送する際の運び屋となる映像信号は、伝送状態映像重畳部７Ｔ内の映像統合部７−４から出力され、伝送状態付加部７Ｔsubの重畳部７−８のｉ３端子に入力される。 重畳部７−８の出力端子Ｏから伝送状態重畳連続信号付加映像信号が出力される。電界強度情報Ｓａは、伝送状態映像重畳部７Ｔ及び伝送状態付加部７Ｔsub内の電界強度−レベル変換部７−６に入力される。 ＢＥＲ状態情報Ｓｂは、伝送状態映像重畳部７Ｔ及び伝送状態付加部７Ｔsub内のＢＥＲ状態−レベル変換部７−７に入力される。伝送状態映像重畳部７Ｔからの同期信号C.SYNCは、伝送状態付加部７Ｔsub内の電界強度−レベル変換部７−６及びＢＥＲ状態−レベル変換部７−７に入力される。 電界強度−レベル変換部７−６及びＢＥＲ状態−レベル変換部７−７の出力ＡｓａとＡｓｂは、重畳部７−８の入力端子ｉ１とｉ２に接続される。
【００３４】
次に、各部の動作について説明する。なお、図３と同一符号のものは、同一動作のため、詳細説明を省略する。電界強度−レベル変換部７−６は、入力された電界強度情報Ｓａから、その状態に応じて出力レベル(例えばＤＣ値)が変化し、かつ、C.SYNC信号を基準に所定の期間のみ生じる信号Ａｓａを、電界強度をレベルで表す電界強度レベル化信号として生成する。ＢＥＲ状態−レベル変換部７−７は、入力されたＢＥＲ情報Ｓｂから、その状態に応じて出力レベル(例えばＤＣ値)が変化し、かつ、C.SYNC信号を基準に所定の期間のみ生じる信号Ａｓｂを、ＢＥＲ状態をレベルで表すＢＥＲ状態レベル化信号として生成する。この信号ＡｓａとＡｓｂは、具体的には、図１６に示すごとく、Ｖ．ＢＬ期間の無信号期間の一部に付加され、そのレベルの大小により、電界強度情報ＳａやＢＥＲ状態情報Ｓｂの状態を表している。 具体的には、信号Ａｓａのレベル、すなわち振幅が大きければ、電界強度レベルも高い。 また、信号Ａｓｂのレベル、すなわち振幅が大きければ、ＢＥＲの状態は良いことになる。重畳部７−８は、端子ｉ１、ｉ２、ｉ３に入力された重畳情報信号を加算するものである。
【００３５】
図１７の（ａ）に、電界強度−レベル変換部７−６の一実施例のブロック構成を示し、以下に説明する。電界強度情報Ｓａは、レベルシフト器７−６-1に入力され、レベルシフト器７−６-1の出力Ｈａは、ゲートスイッチ(ＳＷ)７−６-2の端子ｉに入力される。C．SYNC信号は、付加位置パルス発生器７−６-3に入力される。 付加位置パルス発生器７−６-3の出力GATE-Aaは、ＳＷ７−６-2の端子ｃに入力される。次に、この動作について説明する。 レベルシフト器７−６-1は、電界強度情報Ｓａに応じたレベルで、付加される映像信号のペデスタルレベルより高いＤＣ電圧のＨａを出力する。 付加位置パルス発生器７−６-3は、C.SYNC信号を基準に、Ｈａを重畳する所定の期間を指示する制御信号であるGATE-Aaを発生する。ＳＷ７−６-2は、制御信号GATE-Aaの状態に応じて、端子ｉに入力する信号Ｈａを、出力端子Ｏから電界強度レベル化信号Ａｓａとして出力する。これら各部分の動作により、レベル化信号Ａｓａは、図１７の（ｂ）のようにＶ．ＢＬ期間の無信号期間の一部に付加される。なお、無信号期間であるか否かは、伝送状態映像重畳部７Ｔの重畳タイミング外の部分とすれば、容易に判明するので、その時期になるよう設定すれば良い。
【００３６】
図１８の(ａ)に、ＢＥＲ状態−レベル変換部７−７の一実施例として、ＢＥＲ状態情報に応じて時間幅が変化するパルス化信号を生成するブロック構成を示し、以下に説明する。ＢＥＲ状態情報Ｓbは、レベル時間変換器７−７-1に入力され、レベル時間変換器７−７-1の出力Ｔbは、ゲートスイッチ(ＳＷ) ７−７-2の端子ｉに入力される。 同期信号C.SYNCは、付加位置パルス発生器７−７-3に入力され、付加位置パルス発生器７−７-3の出力GATE-tbは、ＳＷ７−７-2の端子ｃに入力される。次に、この動作について、詳しく説明する。 レベル時間変換器７−７-1は、ＢＥＲ状態情報の付加される映像信号のペデスタルレベルよりも高いＤＣ電圧で、ＢＥＲ状態情報Ｓｂに応じて時間幅が変化するパルスＴｂを出力する。 付加位置パルス発生器７−７-3は、同期信号C.SYNCを基準に、Ｔｂを重畳する所定の期間を指示する制御信号であるGATE-tbを発生する。 このGATE-tbは、時間パルスＴｂの最大時間幅に相当する幅とする。ＳＷ７−７-2は、制御信号GATE-Tbの状態に応じて、端子ｉに入力する信号Ｔｂを、出力端子ＯからＢＥＲ状態レベル化信号Ｔｓｂとして出力する。 即ち、GATE-Tb期間幅＞Ｔｂである。これら各部分の動作により、ＢＥＲ状態レベル化信号Ｔsbは、図１８の（ｂ）のように、Ｖ．ＢＬ期間の無信号期間の一部に付加される。 なお、無信号期間であるか否かは、伝送状態映像重畳部７Ｔの重畳タイミング外の部分とすれば、容易に判明するので、その期間になるよう設定すれば良い。ここで、ＢＥＲ状態が良い場合、Ｔｓｂの時間幅は長くなり、一方ＢＥＲ状態が悪い場合、Ｔｓｂの時間幅は短くなる。
【００３７】
なお、上記実施例では、電界強度−レベル変換部７−６に、振幅レベルの大小に応じたレベル化信号を生成する図１７の構成を適用し、ＢＥＲ状態−レベル変換部７−７に、時間パルスの時間幅に応じたレベル化信号を生成する図１８の構成を適用したが、これと逆の組み合わせでも良いし、何れか一方に統一した構成としても良い。また、図１７の（ｂ）に示す様に、前述のディジタル化した電界強度情報Ｓａ等を残し、これに本実施例の電界強度レベル化信号Ａｓａ等を付加しているが、基本的には同じ電界強度情報であるため、図１８の（ｂ）に示す様に、本実施例の電界強度レベル化信号Ａｓａ等だけ映像信号に重畳するようにしても良い。但し、この場合、伝送先で重畳情報抽出を行う際に、レベルの大小、時間幅の長短が伝送状態を示すことを、認識して対応する検出を行わなければならない。
【００３８】
この時間幅の長短を検出する時間−ＢＥＲ状態変換部７−２Vrの構成を図１９（ａ）に示し、以下に説明する。なお、これは、前記図１２の重畳ＢＥＲ状態抽出＆映像変換部７−２Ｖに対応するものである。上記電界強度情報ＴsaやＢＥＲ状態情報Ｔsbを付加重畳された映像信号Ｖs'は立下り検出器７-2Vr-1に入力される。 立下り検出器７-2Vr-1の出力DT-DOWNは、ＡＮＤゲート７-2Vr-3に入力される。 同期信号C.SYNCは、制御パルス発生器７-2Vr-5に入力される。 この出力Cu-RSTは、カウンタ７-2Vr-2に入力される。また、制御パルス発生器７-2Vr-5の出力LT-Gateは、ＡＮＤゲート７-2Vr-3のもう一方の端子に入力される。 カウンタ７-2Vr-2の出力Cu-Bは、ラッチ７-2Vr-4に入力される。 ＡＮＤゲート７-2Vr-3の出力は、ラッチ７-2Vr-4のＬＴ端子に入力される。
【００３９】
以下、各部の動作について説明する。 立下り検出器７-2Vr-1は、重畳映像信号Ｖs'中に含まれる立下り部を検出する。図１９の（ｂ）にその様子を示す。立下り検出器７-2Vr-1は、入力信号の立下りの種類によらず検出を行うため、信号ＴsaとＴsbの何れもパルスの終了点を検知する。制御パルス発生器７-2Vr-5は、C.SYNC信号に従い、Ｔsb部分の存在する可能性のある期間であるｔ４〜ｔ５にレベルＨを出力する信号LT-Gateと、同期間のみＬとなる信号Cu-RSTを出力する。 ＡＮＤゲート７-2Vr-3は、ｔ４〜ｔ５期間のみの立下りパルスのみをラッチ７-2Vr-4に伝える。 カウンタ７-2Vr-2は、同期間のみ、時間とともに値を増加させるカウント動作を行う。他の期間は、レベルＬの信号Cu-RSTが入力され続けるため、値は０のままとなる。この結果、ラッチ７-2Vr-4は、信号Ｔsbが立下る瞬間のカウンタ値をホールドする。 以上のようにして、信号Ｔsbのパルス幅に従った値を、抽出することが出来る。
【図面の簡単な説明】
【００４０】
【図１】本発明の伝送システムの全体構成の一実施例を示すブロック図
【図２】本発明の伝送信号波形と映像表示画面の対応関係を示す模式図
【図３】本発明の伝送状態映像重畳換部７Ｔの構成の一実施例を示すブロック図
【図４】本発明の映像統合部７−４の構成の一実施例を示すブロック図
【図５】本発明の伝送状態重畳映像信号波形を示す模式図
【図６】本発明の電界強度−映像変換部７−１のブロック図と対応表示画面の模式図
【図７】本発明のＢＥＲ状態−映像変換部７−２のブロック図と対応表示画面の模式図
【図８】本発明のゴースト状態−映像変換部７−３の構成を示すブロック図
【図９】本発明のゴースト状態−映像変換部７−３の各部の信号タイミング説明図
【図１０】本発明の重畳情報抽出＆映像変換部７Ｒのブロック図と対応表示画面の模式図
【図１１】本発明の重畳電界強度抽出＆映像変換部７−１Ｖのブロック図と対応表示画面の模式図
【図１２】本発明の重畳ＢＥＲ状態抽出＆映像変換部７−２Ｖのブロック図と対応表示画面の模式図
【図１３】本発明の重畳ゴースト状態抽出＆映像変換部７−３Ｖのブロック図と対応表示画面の模式図
【図１４】本発明の重畳ゴースト状態抽出＆映像変換部７−３Ｖの動作を説明するタイムチャート
【図１５】本発明の伝送状態映像重畳部と伝送状態付加部の構成を示すブロック図
【図１６】本発明の伝送状態重畳映像信号波形を示す模式図
【図１７】本発明の電界強度−レベル変換部７−６のブロック図と対応表示画面の模式図
【図１８】本発明のＢＥＲ状態−レベル変換部７−７のブロック図と表示画面の模式図
【図１９】本発明の時間−ＢＥＲ状態変換部７−２Vrのブロック図と対応タイムチャート
【図２０】一般的な伝送システムの全体構成を示すブロック図
【図２１】一般的な同期検出＆相関部４Ａの構成を示すブロック図
【図２２】反射波混入時の相関出力信号の一例を示す波形図
【符号の説明】
【００４１】
１０１：送信側処理部、１０１Ｍ：ＭＰＥＧ−ＥＮＣ部、２０３：受信側処理部、２０３Ｍ：ＭＰＥＧ−ＤＥＣ部、７Ｔ：伝送状態映像重畳部、７Ｔsub：伝送状態付加部、７Ｒ：重畳情報抽出＆映像変換部、７−１：電界強度−映像変換部、７−１Ｖ：重畳電界強度抽出＆映像変換部、７−２：ＢＥＲ状態−映像変換部、７−２Ｖ：重畳ＢＥＲ状態抽出＆映像変換部、７−２Vr：時間−ＢＥＲ状態変換部、７−３：ゴースト状態−映像変換部、７−３Ｖ：重畳ゴースト状態抽出＆映像変換部、７−４：映像統合部、７−６：電界強度−レベル変換部、７−７：ＢＥＲ状態−レベル変換部、７−８：重畳部。
【図１】
2006211652.tif 000003
【図２】
2006211652.tif 000004
【図３】
2006211652.tif 000005
【図４】
2006211652.tif 000006
【図５】
2006211652.tif 000007
【図６】
2006211652.tif 000008
【図７】
2006211652.tif 000009
【図８】
2006211652.tif 000010
【図９】
2006211652.tif 000011
【図１０】
2006211652.tif 000012
【図１１】
2006211652.tif 000013
【図１２】
2006211652.tif 000014
【図１３】
2006211652.tif 000015
【図１４】
2006211652.tif 000016
【図１５】
2006211652.tif 000017
【図１６】
2006211652.tif 000018
【図１７】
2006211652.tif 000019
【図１８】
2006211652.tif 000020
【図１９】
2006211652.tif 000021
【図２０】
2006211652.tif 000022
【図２１】
2006211652.tif 000023
【図２２】
2006211652.tif 000024